【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
複数の波長の光を出射する単数又は複数の光源と、光検出器と、前記複数の波長の光の共通光路中に設けられた単数又は複数の回折光学素子とを備え、
前記回折光学素子は、前記複数の波長の光のうち少なくとも２つの波長の光に対して、０次以外で、かつ、それぞれ回折次数の異なる回折光を出射し、
前記少なくとも２つの波長の光のうち、相対的に波長の長い光に対する回折次数の絶対値は、相対的に波長の短い光に対する回折次数の絶対値よりも小さいことを特徴とする光学ヘッド。
【請求項２】
前記光源は、第１の波長の光及び前記第１の波長の略２倍の波長を有する第２の波長の光を出射する単数又は複数の光源であり、
前記回折光学素子は、前記第１の波長の光に対して実質上２次の回折光を出射し、前記第２の波長の光に対して実質上１次の回折光を出射する請求項１に記載の光学ヘッド。
【請求項３】
前記回折光学素子の断面形状が実質上鋸歯形状であり、第１の波長λ1  、第２の波長λ2  、前記回折光学素子の材料の屈折率ｎに対して、前記鋸歯形状の深さが、透過型素子の場合には、実質上２λ1  ／（ｎ−１）からλ2  ／（ｎ−１）の範囲内にあり、基板側から入射する反射型素子の場合には、実質上λ1  ／ｎからλ2  ／２ｎの範囲内にあり、空気側から入射する反射型素子の場合には、実質上λ1  からλ2  ／２の範囲内にある請求項２に記載の光学ヘッド。
【請求項４】
前記回折光学素子が、情報記録媒体に集光する対物レンズである請求項１に記載の光学ヘッド。
【請求項５】
前記回折光学素子が、前記光源からの出射光を実質上平行にするコリメータレンズである請求項１に記載の光学ヘッド。
【請求項６】
前記回折光学素子が、フォーカス／トラック誤差信号検出素子である請求項１に記載の光学ヘッド。
【請求項７】
前記回折光学素子の最小周期Λmin が、第１の波長λ1 に対してΛmin ≧１０λ1 の関係を満たす請求項２に記載の光学ヘッド。
【請求項８】
前記回折光学素子の最小周期Λmin が、第１の波長λ1 に対してΛmin ≧２２λ1 の関係を満たす請求項２に記載の光学ヘッド。
【請求項９】
前記光源は、第１の波長の光及び第２の波長の光を出射する単数又は複数の光源であり、
前記第１及び第２の波長の光の光路中に、前記光源からの出射光の光軸が斜めに入射する光学面を有する屈折光学手段が設けられており、前記出射光の波長変動に伴う前記回折光学素子からの回折光の回折角の変化と、前記屈折光学手段からの屈折光の屈折角の変化とが、互いに相殺する方向に生じる請求項１に記載の光学ヘッド。
【請求項１０】
前記回折光学素子が、均一周期のグレーティングである請求項９に記載の光学ヘッド。
【請求項１１】
前記回折光学素子が、開口数０．３９以下の収束光光路又は発散光光路中に配置されており、前記回折光学素子の周期が均一である請求項９に記載の光学ヘッド。
【請求項１２】
前記屈折光学手段が、３つの光学面を有するプリズムであり、前記３つの光学面のうち、情報記録媒体側の面を第１面、光源側の面を第２面、それ以外の面を第３面としたとき、前記光源からの出射光が、前記第２面を透過し、前記第１面、前記第３面の順に反射して、前記第１面を透過する構成であって、前記光源からの出射光が前記第２面に入射する最も高い位置よりも対物レンズの下部が低くなる請求項９に記載の光学ヘッド。
【請求項１３】
前記プリズムの硝材のアッベ数が６４以上である請求項１２に記載の光学ヘッド。
【請求項１４】
前記光源が２波長の光を出射するＳＨＧ光源である請求項２に記載の光学ヘッド。
【請求項１５】
前記光源は、第１の波長の光及び第２の波長の光を出射する単数又は複数の光源であり、
前記第１及び第２の波長の光がジグザグ状に伝搬する透明基板を備え、前記回折光学素子が前記透明基板上に配置された請求項１に記載の光学ヘッド。
【請求項１６】
第１の波長λ1 が、０．３５μｍ≦λ1 ≦０．４４μｍの関係を満たすか、もしくは、第２の波長λ2 が、０．７６μｍ≦λ2 ≦０．８８μｍの関係を満たす請求項２に記載の光学ヘッド。
【請求項１７】
第１の波長λ１ が、実質上０．３５μｍ≦λ1 ≦０．４４μｍの関係を満たし、前記回折光学素子が、情報記録媒体に集光する対物レンズの色収差を補正する色収差補正素子である請求項２に記載の光学ヘッド。
【請求項１８】
前記光源から出射される光を情報記録媒体に集光する対物レンズをさらに備え、
前記光源は、第１の波長の光及び前記第１の波長の略２倍の波長を有する第２の波長の光を出射する単数又は複数の光源であり、
前記回折光学素子は、前記対物レンズの色収差を補正する階段状もしくは実質上鋸歯形状の段差を有する色収差補正素子であり、第１の波長λ1 、第２の波長λ2 、前記色収差補正素子の材料の屈折率ｎに対して、前記段差が、実質上２λ1 ／（ｎ−１）からλ2 ／（ｎ−１）の範囲内にある請求項１に記載の光学ヘッド。
【請求項１９】
第１の波長λ1  が、０．３５μｍ≦λ1  ≦０．４４μｍの関係を満たすか、もしくは、第２の波長λ2 が、０．７６μｍ≦λ2 ≦０．８８μｍの関係を満たす請求項１８に記載の光学ヘッド。
【請求項２０】
前記色収差補正素子が前記対物レンズ上に形成されている請求項１８に記載の光学ヘッド。
【請求項２１】
前記色収差補正素子と前記対物レンズがアクチュエータによって一体的に駆動される請求項１８に記載の光学ヘッド。
【請求項２２】
前記色収差補正素子が凸型の回折型レンズであり、前記対物レンズとの両方で収束光を形成する請求項１８に記載の光学ヘッド。
【請求項２３】
前記光源は、第１の波長の光、前記第１の波長の略２倍の波長を有する第２の波長の光、及び前記第１の波長の略１．５倍の波長を有する第３の波長の光を出射する単数又は複数の光源であり、
前記回折光学素子は、前記第１の波長の光に対して実質上４次の回折光を出射し、前記第２の波長の光に対して実質上２次の回折光を出射し、前記第３の波長の光に対して実質上３次の回折光を出射する請求項１に記載の光学ヘッド。
【請求項２４】
前記回折光学素子の断面形状が実質上鋸歯形状であり、第１の波長λ1 、第２の波長λ2 、第３の波長λ3 、前記回折光学素子の材料の屈折率ｎに対して、前記鋸歯形状の深さが、透過型素子の場合には、実質上４λ1 ／（ｎ−１）と２λ2 ／（ｎ−１）と３λ3 ／（ｎ−１）のうちの最小値と最大値の範囲内にあり、基板側から入射する反射型素子の場合には、実質上２λ1 ／ｎとλ2 ／ｎと３λ3 ／２ｎのうちの最小値と最大値の範囲内にあり、空気側から入射する反射型素子の場合には、実質上２λ1 とλ2 と３λ3 ／２のうちの最小値と最大値の範囲内にある請求項２３に記載の光学ヘッド。
【請求項２５】
前記回折光学素子の最小周期Λmin が、第１の波長λ1 に対してΛmin ≧２２λ1 の関係を満たす請求項２３に記載の光学ヘッド。
【請求項２６】
第１の波長λ1 が、０．３５μｍ≦λ1 ≦０．４４μｍの関係を満たすか、もしくは、第２の波長λ2 が、０．７６μｍ≦λ2 ≦０．８８μｍの関係を満たすか、もしくは、第３の波長λ3 が、０．５７μｍ≦λ3 ≦０．６８μｍの関係を満たす請求項２３に記載の光学ヘッド。
【請求項２７】
第１の波長λ１ が、実質上０．３５μｍ≦λ1 ≦０．４４μｍの関係を満たし、前記回折光学素子が、情報記録媒体に集光する対物レンズの色収差を補正する色収差補正素子である請求項２３に記載の光学ヘッド。
【請求項２８】
前記光源から出射される光を情報記録媒体に集光する対物レンズをさらに備え、
前記光源は、第１の波長の光、前記第１の波長の略２倍の波長を有する第２の波長の光、及び前記第１の波長の略１．５倍の波長を有する第３の波長の光を出射する単数又は複数の光源であり、
前記回折光学素子は、前記対物レンズの色収差を補正する階段状もしくは実質上鋸歯形状の段差を有する色収差補正素子であり、第１の波長λ1 、第２の波長λ2 、第３の波長λ3 、前記回折光学素子の材料の屈折率ｎに対して、前記段差が、４λ1 ／（ｎ−１）と２λ2 ／（ｎ−１）と３λ3 ／（ｎ−１）のうちの最小値と最大値の範囲内にある請求項１に記載の光学ヘッド。
【請求項２９】
第１の波長λ1 が、０．３５μｍ≦λ1 ≦０．４４μｍの関係を満たすか、もしくは、第２の波長λ2 が、０．７６μｍ≦λ2 ≦０．８８μｍの関係を満たすか、もしくは、第３の波長λ3 が、０．５７μｍ≦λ3 ≦０．６８μｍの関係を満たす請求項２８に記載の光学ヘッド。
【請求項３０】
前記色収差補正素子が前記対物レンズ上に形成されている請求項２８に記載の光学ヘッド。
【請求項３１】
前記色収差補正素子と前記対物レンズがアクチュエータによって一体的に駆動される請求項２８に記載の光学ヘッド。
【請求項３２】
前記色収差補正素子が凸型の回折型レンズであり、前記対物レンズとの両方で収束光を形成する請求項２８に記載の光学ヘッド。
【請求項３３】
前記光源は、第１の波長の光及び前記第１の波長の略１．５倍の波長を有する第２の波長の光を出射する単数又は複数の光源であり、
前記回折光学素子は、前記第１の波長の光に対して実質上３次の回折光を出射し、前記第２の波長の光に対して実質上２次の回折光を出射する請求項１に記載の光学ヘッド。
【請求項３４】
前記回折光学素子の断面形状が実質上鋸歯形状であり、第１の波長λ1 、第２の波長λ2 、前記回折光学素子の材料の屈折率ｎに対して、前記鋸歯形状の深さが、透過型素子の場合には、実質上３λ1 ／（ｎ−１）から２λ2 ／（ｎ−１）の範囲内にあり、基板側から入射する反射型素子の場合には、実質上３λ1 ／２ｎからλ2 ／ｎの範囲内にあり、空気側から入射する反射型素子の場合には、実質上３λ1 ／２からλ2 の範囲内にある請求項３３に記載の光学ヘッド。
【請求項３５】
前記回折光学素子の最小周期Λmin が、第１の波長λ1 に対してΛmin ≧１６λ1 の関係を満たす請求項３３に記載の光学ヘッド。
【請求項３６】
第１の波長λ1 が、０．３５μｍ≦λ1 ≦０．４４μｍの関係を満たすか、もしくは、第２の波長λ2 が、０．５７μｍ≦λ2 ≦０．６８μｍの関係を満たす請求項３３に記載の光学ヘッド。
【請求項３７】
第１の波長λ1 が、実質上０．３５μｍ≦λ1 ≦０．４４μｍの関係を満たし、前記回折光学素子が、情報記録媒体に集光する対物レンズの色収差を補正する色収差補正素子である請求項３３に記載の光学ヘッド。
【請求項３８】
前記光源から出射される光を情報記録媒体に集光する対物レンズをさらに備え、
前記光源は、第１の波長の光、及び前記第１の波長の略１．５倍の波長を有する第２の波長の光を出射する単数又は複数の光源であり、
前記回折光学素子は、前記対物レンズの色収差を補正する階段状もしくは実質上鋸歯形状の段差を有する色収差補正素子であり、第１の波長λ1 、第２の波長λ2 、前記色収差補正素子の材料の屈折率ｎに対して、前記段差が、実質上３λ1 ／（ｎ−１）から２λ2 ／（ｎ−１）の範囲内にある請求項１に記載の光学ヘッド。
【請求項３９】
第１の波長λ1  が、０．３５μｍ≦λ1  ≦０．４４μｍの関係を満たすか、もしくは、第２の波長λ2 が、０．５７μｍ≦λ2 ≦０．６８μｍの関係を満たす請求項３８に記載の光学ヘッド。
【請求項４０】
前記色収差補正素子が前記対物レンズ上に形成されている請求項３８に記載の光学ヘッド。
【請求項４１】
前記色収差補正素子と前記対物レンズがアクチュエータによって一体的に駆動される請求項３８に記載の光学ヘッド。
【請求項４２】
前記色収差補正素子が凸型の回折型レンズであり、前記対物レンズとの両方で収束光を形成する請求項３８に記載の光学ヘッド。
【請求項４３】
前記光源は、第１の波長の光、前記第１の波長の略２倍の波長を有する第２の波長の光、及び前記第１の波長の略１．５倍の波長を有する第３の波長の光を出射する単数又は複数の光源であり、
前記回折光学素子は、前記第１の波長の光に対して実質上６次の回折光を出射し、前記第２の波長の光に対して実質上３次の回折光を出射し、前記第３の波長の光に対して実質上４次の回折光を出射する請求項１に記載の光学ヘッド。
【請求項４４】
前記回折光学素子の断面形状が実質上鋸歯形状であり、第１の波長λ1 、第２の波長λ2 、第３の波長λ3 、前記回折光学素子の材料の屈折率ｎに対して、前記鋸歯形状の深さが、透過型素子の場合には、実質上６λ1 ／（ｎ−１）と３λ2 ／（ｎ−１）と４λ3 ／（ｎ−１）のうちの最小値と最大値の範囲内にあり、基板側から入射する反射型素子の場合には、実質上３λ1 ／ｎと３λ2 ／２ｎと２λ3 ／ｎのうちの最小値と最大値の範囲内にあり、空気側から入射する反射型素子の場合には、実質上３λ1 と３λ2 ／２と２λ3 のうちの最小値と最大値の範囲内にある請求項４３に記載の光学ヘッド。
【請求項４５】
前記光源から出射される光を情報記録媒体に集光する対物レンズをさらに備え、
前記光源は、第１の波長の光、前記第１の波長の略２倍の波長を有する第２の波長の光、及び前記第１の波長の略１．５倍の波長を有する第３の波長の光を出射する単数又は複数の光源であり、
前記回折光学素子は、前記対物レンズの色収差を補正する階段状もしくは実質上鋸歯形状の段差を有する色収差補正素子であり、第１の波長λ1、第２の波長λ2、第３の波長λ3、前記回折光学素子の材料の屈折率ｎに対して、前記段差が、実質上６λ1 ／（ｎ−１）と３λ2 ／（ｎ−１）と４λ3 ／（ｎ−１）のうちの最小値と最大値の範囲内にある請求項１に記載の光学ヘッド。
【請求項４６】
前記色収差補正素子が前記対物レンズ上に形成されている請求項４５に記載の光学ヘッド。
【請求項４７】
前記色収差補正素子と前記対物レンズがアクチュエータによって一体的に駆動される請求項４５に記載の光学ヘッド。
【請求項４８】
前記色収差補正素子が凸型の回折型レンズであり、前記対物レンズとの両方で収束光を形成する請求項４５に記載の光学ヘッド。
【請求項４９】
前記光源は、実質上０．３５μｍ≦λ≦０．４４μｍの関係を満たす波長λの光を出射する光源であり、
前記回折光学素子は、情報記録媒体に集光する対物レンズの色収差を補正する色収差補正素子である請求項１に記載の光学ヘッド。
【請求項５０】
前記色収差補正素子が前記対物レンズ上に形成されている請求項４９に記載の光学ヘッド。
【請求項５１】
前記色収差補正素子と前記対物レンズがアクチュエータによって一体的に駆動される請求項４９に記載の光学ヘッド。
【請求項５２】
前記色収差補正素子が凸型の回折型レンズであり、前記対物レンズとの両方で収束光を形成する請求項４９に記載の光学ヘッド。
【手続補正２】
【補正対象書類名】明細書
【補正対象項目名】０００８
【補正方法】変更
【補正の内容】
【０００８】
【課題を解決するための手段】
前記目的を達成するため、第１の本発明（請求項１に記載の発明に対応）は、複数の波長の光を出射する単数又は複数の光源と、光検出器と、前記複数の波長の光の共通光路中に設けられた単数又は複数の回折光学素子とを備え、前記回折光学素子は、前記複数の波長の光のうち少なくとも２つの波長の光に対して、０次以外で、かつ、それぞれ回折次数の異なる回折光を出射し、前記少なくとも２つの波長の光のうち、相対的に波長の長い光に対する回折次数の絶対値は、相対的に波長の短い光に対する回折次数の絶対値よりも小さいことを特徴とする光学ヘッドである。
また、第２の本発明（請求項２に記載の発明に対応）は、前記光源は、第１の波長の光及び前記第１の波長の略２倍の波長を有する第２の波長の光を出射する単数又は複数の光源であり、前記回折光学素子は、前記第１の波長の光に対して実質上２次の回折光を出射し、前記第２の波長の光に対して実質上１次の回折光を出射する上記第１の本発明に記載の光学ヘッドである。
【手続補正３】
【補正対象書類名】明細書
【補正対象項目名】００１０
【補正方法】変更
【補正の内容】
【００１０】
また、第３の本発明（請求項３に記載の発明に対応）は、前記回折光学素子の断面形状が実質上鋸歯形状であり、第１の波長λ1  、第２の波長λ2  、前記回折光学素子の材料の屈折率ｎに対して、前記鋸歯形状の深さが、透過型素子の場合には、実質上２λ1  ／（ｎ−１）からλ2  ／（ｎ−１）の範囲内にあり、基板側から入射する反射型素子の場合には、実質上λ1  ／ｎからλ2  ／２ｎの範囲内にあり、空気側から入射する反射型素子の場合には、実質上λ1  からλ2  ／２の範囲内にある上記第２の本発明に記載の光学ヘッドである。
【手続補正４】
【補正対象書類名】明細書
【補正対象項目名】００１２
【補正方法】変更
【補正の内容】
【００１２】
また、第４の本発明（請求項４に記載の発明に対応）は、前記回折光学素子が、情報記録媒体に集光する対物レンズである上記第１の本発明の光学ヘッドである。
【手続補正５】
【補正対象書類名】明細書
【補正対象項目名】００１４
【補正方法】変更
【補正の内容】
【００１４】
また、第５の本発明（請求項５に記載の発明に対応）は、前記回折光学素子が、前記光源からの出射光を実質上平行にするコリメータレンズである上記第１の本発明の光学ヘッドである。
【手続補正６】
【補正対象書類名】明細書
【補正対象項目名】００１６
【補正方法】変更
【補正の内容】
【００１６】
また、第６の本発明（請求項６に記載の発明に対応）は、前記回折光学素子が、フォーカス／トラック誤差信号検出素子である上記第１の本発明の光学ヘッドである。
【手続補正７】
【補正対象書類名】明細書
【補正対象項目名】００１８
【補正方法】変更
【補正の内容】
【００１８】
また、第７の本発明（請求項７に記載の発明に対応）は、前記回折光学素子の最小周期Λmin が、第１の波長λ1 に対してΛmin ≧１０λ1 の関係を満たす上記第２の本発明の光学ヘッドである。
【手続補正８】
【補正対象書類名】明細書
【補正対象項目名】００２０
【補正方法】変更
【補正の内容】
【００２０】
また、第８の本発明（請求項８に記載の発明に対応）は、前記回折光学素子の最小周期Λmin が、第１の波長λ1 に対してΛmin ≧２２λ1 の関係を満たす上記第２の本発明の光学ヘッドである。
【手続補正９】
【補正対象書類名】明細書
【補正対象項目名】００２２
【補正方法】変更
【補正の内容】
【００２２】
また、第９の本発明（請求項９に記載の発明に対応）は、前記光源は、第１の波長の光及び第２の波長の光を出射する単数又は複数の光源であり、
前記第１及び第２の波長の光の光路中に、前記光源からの出射光の光軸が斜めに入射する光学面を有する屈折光学手段が設けられており、前記出射光の波長変動に伴う前記回折光学素子からの回折光の回折角の変化と、前記屈折光学手段からの屈折光の屈折角の変化とが、互いに相殺する方向に生じる上記第１の本発明の光学ヘッドである。
【手続補正１０】
【補正対象書類名】明細書
【補正対象項目名】００２４
【補正方法】変更
【補正の内容】
【００２４】
また、第１０の本発明（請求項１０に記載の発明に対応）は、前記回折光学素子が、均一周期のグレーティングである上記第９の本発明の光学ヘッドである。
【手続補正１１】
【補正対象書類名】明細書
【補正対象項目名】００２６
【補正方法】変更
【補正の内容】
【００２６】
また、第１１の本発明（請求項１１に記載の発明に対応）は、前記回折光学素子が、開口数０．３９以下の収束光光路又は発散光光路中に配置されており、前記回折光学素子の周期が均一である上記第９の本発明の光学ヘッドである。
【手続補正１２】
【補正対象書類名】明細書
【補正対象項目名】００２８
【補正方法】変更
【補正の内容】
【００２８】
また、第１２の本発明（請求項１２に記載の発明に対応）は、前記屈折光学手段が、３つの光学面を有するプリズムであり、前記３つの光学面のうち、情報記録媒体側の面を第１面、光源側の面を第２面、それ以外の面を第３面としたとき、前記光源からの出射光が、前記第２面を透過し、前記第１面、前記第３面の順に反射して、前記第１面を透過する構成であって、前記光源からの出射光が前記第２面に入射する最も高い位置よりも対物レンズの下部が低くなる上記第９の本発明の光学ヘッドである。
【手続補正１３】
【補正対象書類名】明細書
【補正対象項目名】００３０
【補正方法】変更
【補正の内容】
【００３０】
また、第１３の本発明（請求項１３に記載の発明に対応）は、前記プリズムの硝材のアッベ数が６４以上である上記第１２の本発明の光学ヘッドである。
【手続補正１４】
【補正対象書類名】明細書
【補正対象項目名】００３２
【補正方法】変更
【補正の内容】
【００３２】
また、第１４の本発明（請求項１４に記載の発明に対応）は、前記光源が２波長の光を出射するＳＨＧ光源である上記第２の本発明の光学ヘッドである。
【手続補正１５】
【補正対象書類名】明細書
【補正対象項目名】００３４
【補正方法】変更
【補正の内容】
【００３４】
また、第１５の本発明（請求項１５に記載の発明に対応）は、前記光源は、第１の波長の光及び第２の波長の光を出射する単数又は複数の光源であり、
前記第１及び第２の波長の光がジグザグ状に伝搬する透明基板を備え、前記回折光学素子が前記透明基板上に配置された上記第１の本発明の光学ヘッドである。
【手続補正１６】
【補正対象書類名】明細書
【補正対象項目名】００３６
【補正方法】変更
【補正の内容】
【００３６】
また、第１６の本発明（請求項１６に記載の発明に対応）は、第１の波長λ1 が、０．３５μｍ≦λ1 ≦０．４４μｍの関係を満たすか、もしくは、第２の波長λ2 が、０．７６μｍ≦λ2 ≦０．８８μｍの関係を満たす上記第２の本発明の光学ヘッドである。
【手続補正１７】
【補正対象書類名】明細書
【補正対象項目名】００３８
【補正方法】変更
【補正の内容】
【００３８】
また、第１７の本発明（請求項１７に記載の発明に対応）は、第１の波長λ１ が、実質上０．３５μｍ≦λ1 ≦０．４４μｍの関係を満たし、前記回折光学素子が、情報記録媒体に集光する対物レンズの色収差を補正する色収差補正素子である上記第２の本発明の光学ヘッドである。
【手続補正１８】
【補正対象書類名】明細書
【補正対象項目名】００４０
【補正方法】変更
【補正の内容】
【００４０】
また、第１８の本発明（請求項１８に記載の発明に対応）は、前記光源から出射される光を情報記録媒体に集光する対物レンズをさらに備え、
前記光源は、第１の波長の光及び前記第１の波長の略２倍の波長を有する第２の波長の光を出射する単数又は複数の光源であり、
前記回折光学素子は、前記対物レンズの色収差を補正する階段状もしくは実質上鋸歯形状の段差を有する色収差補正素子であり、第１の波長λ1 、第２の波長λ2 、前記色収差補正素子の材料の屈折率ｎに対して、前記段差が、実質上２λ1 ／（ｎ−１）からλ2 ／（ｎ−１）の範囲内にある上記第１の本発明の光学ヘッドである。
【手続補正１９】
【補正対象書類名】明細書
【補正対象項目名】００４２
【補正方法】変更
【補正の内容】
【００４２】
また、第１９の本発明（請求項１９に記載の発明に対応）は、第１の波長λ1  が、０．３５μｍ≦λ1  ≦０．４４μｍの関係を満たすか、もしくは、第２の波長λ2 が、０．７６μｍ≦λ2 ≦０．８８μｍの関係を満たす上記第１８の本発明の光学ヘッドである。
【手続補正２０】
【補正対象書類名】明細書
【補正対象項目名】００４３
【補正方法】変更
【補正の内容】
【００４３】
また、第２０の本発明（請求項２０に記載の発明に対応）は、前記色収差補正素子が前記対物レンズ上に形成されている上記第１８の本発明の光学ヘッドである。
【手続補正２１】
【補正対象書類名】明細書
【補正対象項目名】００４５
【補正方法】変更
【補正の内容】
【００４５】
また、第２１の本発明（請求項２１に記載の発明に対応）は、前記色収差補正素子と前記対物レンズがアクチュエータによって一体的に駆動される上記第１８の本発明の光学ヘッドである。
【手続補正２２】
【補正対象書類名】明細書
【補正対象項目名】００４７
【補正方法】変更
【補正の内容】
【００４７】
また、第２２の本発明（請求項２２に記載の発明に対応）は、前記色収差補正素子が凸型の回折型レンズであり、前記対物レンズとの両方で収束光を形成する上記第１８の本発明の光学ヘッドである。
【手続補正２３】
【補正対象書類名】明細書
【補正対象項目名】００４９
【補正方法】変更
【補正の内容】
【００４９】
また、第２３の本発明（請求項２３に記載の発明に対応）は、前記光源は、第１の波長の光、前記第１の波長の略２倍の波長を有する第２の波長の光、及び前記第１の波長の略１．５倍の波長を有する第３の波長の光を出射する単数又は複数の光源であり、
前記回折光学素子は、前記第１の波長の光に対して実質上４次の回折光を出射し、前記第２の波長の光に対して実質上２次の回折光を出射し、前記第３の波長の光に対して実質上３次の回折光を出射する上記第１の本発明の光学ヘッドである。
【手続補正２４】
【補正対象書類名】明細書
【補正対象項目名】００５１
【補正方法】変更
【補正の内容】
【００５１】
また、第２４の本発明（請求項２４に記載の発明に対応）は、前記回折光学素子の断面形状が実質上鋸歯形状であり、第１の波長λ1 、第２の波長λ2 、第３の波長λ3 、前記回折光学素子の材料の屈折率ｎに対して、前記鋸歯形状の深さが、透過型素子の場合には、実質上４λ1 ／（ｎ−１）と２λ2 ／（ｎ−１）と３λ3 ／（ｎ−１）のうちの最小値と最大値の範囲内にあり、基板側から入射する反射型素子の場合には、実質上２λ1 ／ｎとλ2 ／ｎと３λ3 ／２ｎのうちの最小値と最大値の範囲内にあり、空気側から入射する反射型素子の場合には、実質上２λ1 とλ2 と３λ3 ／２のうちの最小値と最大値の範囲内にある上記第２３の本発明の光学ヘッドである。
【手続補正２５】
【補正対象書類名】明細書
【補正対象項目名】００５３
【補正方法】変更
【補正の内容】
【００５３】
また、第２５の本発明（請求項２５に記載の発明に対応）は、前記回折光学素子の最小周期Λmin が、第１の波長λ1 に対してΛmin ≧２２λ1 の関係を満たす上記第２３の本発明の光学ヘッドである。
【手続補正２６】
【補正対象書類名】明細書
【補正対象項目名】００５５
【補正方法】変更
【補正の内容】
【００５５】
また、第２６の本発明（請求項２６に記載の発明に対応）は、第１の波長λ1 が、０．３５μｍ≦λ1 ≦０．４４μｍの関係を満たすか、もしくは、第２の波長λ2 が、０．７６μｍ≦λ2 ≦０．８８μｍの関係を満たすか、もしくは、第３の波長λ3 が、０．５７μｍ≦λ3 ≦０．６８μｍの関係を満たす上記第２３の本発明の光学ヘッドである。
【手続補正２７】
【補正対象書類名】明細書
【補正対象項目名】００５７
【補正方法】変更
【補正の内容】
【００５７】
また、第２７の本発明（請求項２７に記載の発明に対応）は、第１の波長λ１ が、実質上０．３５μｍ≦λ1 ≦０．４４μｍの関係を満たし、前記回折光学素子が、情報記録媒体に集光する対物レンズの色収差を補正する色収差補正素子である上記第２３の本発明の光学ヘッドである。
【手続補正２８】
【補正対象書類名】明細書
【補正対象項目名】００５８
【補正方法】変更
【補正の内容】
【００５８】
また、第２８の本発明（請求項２８に記載の発明に対応）は、前記光源から出射される光を情報記録媒体に集光する対物レンズをさらに備え、
前記光源は、第１の波長の光、前記第１の波長の略２倍の波長を有する第２の波長の光、及び前記第１の波長の略１．５倍の波長を有する第３の波長の光を出射する単数又は複数の光源であり、
前記回折光学素子は、前記対物レンズの色収差を補正する階段状もしくは実質上鋸歯形状の段差を有する色収差補正素子であり、第１の波長λ1 、第２の波長λ2 、第３の波長λ3 、前記回折光学素子の材料の屈折率ｎに対して、前記段差が、４λ1 ／（ｎ−１）と２λ2 ／（ｎ−１）と３λ3 ／（ｎ−１）のうちの最小値と最大値の範囲内にある上記第１の本発明の光学ヘッドである。
【手続補正２９】
【補正対象書類名】明細書
【補正対象項目名】００６０
【補正方法】変更
【補正の内容】
【００６０】
また、第２９の本発明（請求項２９に記載の発明に対応）は、第１の波長λ1 が、０．３５μｍ≦λ1 ≦０．４４μｍの関係を満たすか、もしくは、第２の波長λ2 が、０．７６μｍ≦λ2 ≦０．８８μｍの関係を満たすか、もしくは、第３の波長λ3 が、０．５７μｍ≦λ3 ≦０．６８μｍの関係を満たす上記第２８の本発明の光学ヘッドである。
【手続補正３０】
【補正対象書類名】明細書
【補正対象項目名】００６１
【補正方法】変更
【補正の内容】
【００６１】
また、第３０の本発明（請求項３０に記載の発明に対応）は、前記色収差補正素子が前記対物レンズ上に形成されている上記第２８の本発明の光学ヘッドである。
【手続補正３１】
【補正対象書類名】明細書
【補正対象項目名】００６２
【補正方法】変更
【補正の内容】
【００６２】
また、第３１の本発明（請求項３１に記載の発明に対応）は、前記色収差補正素子と前記対物レンズがアクチュエータによって一体的に駆動される上記第２８の本発明の光学ヘッドである。
【手続補正３２】
【補正対象書類名】明細書
【補正対象項目名】００６３
【補正方法】変更
【補正の内容】
【００６３】
また、第３２の本発明（請求項３２に記載の発明に対応）は、前記色収差補正素子が凸型の回折型レンズであり、前記対物レンズとの両方で収束光を形成する上記第２８の本発明の光学ヘッドである。
【手続補正３３】
【補正対象書類名】明細書
【補正対象項目名】００６４
【補正方法】変更
【補正の内容】
【００６４】
また、第３３の本発明（請求項３３に記載の発明に対応）は、前記光源は、第１の波長の光及び前記第１の波長の略１．５倍の波長を有する第２の波長の光を出射する単数又は複数の光源であり、
前記回折光学素子は、前記第１の波長の光に対して実質上３次の回折光を出射し、前記第２の波長の光に対して実質上２次の回折光を出射する上記第１の本発明の光学ヘッドである。
【手続補正３４】
【補正対象書類名】明細書
【補正対象項目名】００６６
【補正方法】変更
【補正の内容】
【００６６】
また、第３４の本発明（請求項３４に記載の発明に対応）は、前記回折光学素子の断面形状が実質上鋸歯形状であり、第１の波長λ1 、第２の波長λ2 、前記回折光学素子の材料の屈折率ｎに対して、前記鋸歯形状の深さが、透過型素子の場合には、実質上３λ1 ／（ｎ−１）から２λ2 ／（ｎ−１）の範囲内にあり、基板側から入射する反射型素子の場合には、実質上３λ1 ／２ｎからλ2 ／ｎの範囲内にあり、空気側から入射する反射型素子の場合には、実質上３λ1 ／２からλ2 の範囲内にある上記第３３の本発明の光学ヘッドである。
【手続補正３５】
【補正対象書類名】明細書
【補正対象項目名】００６８
【補正方法】変更
【補正の内容】
【００６８】
また、第３５の本発明（請求項３５に記載の発明に対応）は、前記回折光学素子の最小周期Λmin が、第１の波長λ1 に対してΛmin ≧１６λ1 の関係を満たす上記第３２の本発明の光学ヘッドである。
【手続補正３６】
【補正対象書類名】明細書
【補正対象項目名】００７０
【補正方法】変更
【補正の内容】
【００７０】
また、第３６の本発明（請求項３６に記載の発明に対応）は、第１の波長λ1 が、０．３５μｍ≦λ1 ≦０．４４μｍの関係を満たすか、もしくは、第２の波長λ2 が、０．５７μｍ≦λ2 ≦０．６８μｍの関係を満たす上記第３３の本発明の光学ヘッドである。
【手続補正３７】
【補正対象書類名】明細書
【補正対象項目名】００７１
【補正方法】変更
【補正の内容】
【００７１】
また、第３７の本発明（請求項３７に記載の発明に対応）は、第１の波長λ1 が、実質上０．３５μｍ≦λ1 ≦０．４４μｍの関係を満たし、前記回折光学素子が、情報記録媒体に集光する対物レンズの色収差を補正する色収差補正素子である上記第３３の本発明の光学ヘッドである。
【手続補正３８】
【補正対象書類名】明細書
【補正対象項目名】００７２
【補正方法】変更
【補正の内容】
【００７２】
また、第３８の本発明（請求項３８に記載の発明に対応）は、前記光源から出射される光を情報記録媒体に集光する対物レンズをさらに備え、
前記光源は、第１の波長の光、及び前記第１の波長の略１．５倍の波長を有する第２の波長の光を出射する単数又は複数の光源であり、
前記回折光学素子は、前記対物レンズの色収差を補正する階段状もしくは実質上鋸歯形状の段差を有する色収差補正素子であり、第１の波長λ1 、第２の波長λ2 、前記色収差補正素子の材料の屈折率ｎに対して、前記段差が、実質上３λ1 ／（ｎ−１）から２λ2 ／（ｎ−１）の範囲内にある上記第１の本発明の光学ヘッドである。
【手続補正３９】
【補正対象書類名】明細書
【補正対象項目名】００７４
【補正方法】変更
【補正の内容】
【００７４】
また、第３９の本発明（請求項３９に記載の発明に対応）は、第１の波長λ1  が、０．３５μｍ≦λ1  ≦０．４４μｍの関係を満たすか、もしくは、第２の波長λ2 が、０．５７μｍ≦λ2 ≦０．６８μｍの関係を満たす上記第３８の本発明の光学ヘッドである。
【手続補正４０】
【補正対象書類名】明細書
【補正対象項目名】００７６
【補正方法】変更
【補正の内容】
【００７６】
また、第４０の本発明（請求項４０に記載の発明に対応）は、前記色収差補正素子が前記対物レンズ上に形成されている上記第３８の本発明の光学ヘッドである。
【手続補正４１】
【補正対象書類名】明細書
【補正対象項目名】００７７
【補正方法】変更
【補正の内容】
【００７７】
また、第４１の本発明（請求項４１に記載の発明に対応）は、前記色収差補正素子と前記対物レンズがアクチュエータによって一体的に駆動される上記第３８の本発明の光学ヘッドである。
【手続補正４２】
【補正対象書類名】明細書
【補正対象項目名】００７８
【補正方法】変更
【補正の内容】
【００７８】
また、第４２の本発明（請求項４２に記載の発明に対応）は、前記色収差補正素子が凸型の回折型レンズであり、前記対物レンズとの両方で収束光を形成する上記第３８の本発明の光学ヘッドである。
【手続補正４３】
【補正対象書類名】明細書
【補正対象項目名】００７９
【補正方法】変更
【補正の内容】
【００７９】
また、第４３の本発明（請求項４３に記載の発明に対応）は、前記光源は、第１の波長の光、前記第１の波長の略２倍の波長を有する第２の波長の光、及び前記第１の波長の略１．５倍の波長を有する第３の波長の光を出射する単数又は複数の光源であり、
前記回折光学素子は、前記第１の波長の光に対して実質上６次の回折光を出射し、前記第２の波長の光に対して実質上３次の回折光を出射し、前記第３の波長の光に対して実質上４次の回折光を出射する上記第１の本発明の光学ヘッドである。
【手続補正４４】
【補正対象書類名】明細書
【補正対象項目名】００８１
【補正方法】変更
【補正の内容】
【００８１】
また、第４４の本発明（請求項４４に記載の発明に対応）は、前記回折光学素子の断面形状が実質上鋸歯形状であり、第１の波長λ1 、第２の波長λ2 、第３の波長λ3 、前記回折光学素子の材料の屈折率ｎに対して、前記鋸歯形状の深さが、透過型素子の場合には、実質上６λ1 ／（ｎ−１）と３λ2 ／（ｎ−１）と４λ3 ／（ｎ−１）のうちの最小値と最大値の範囲内にあり、基板側から入射する反射型素子の場合には、実質上３λ1 ／ｎと３λ2 ／２ｎと２λ3 ／ｎのうちの最小値と最大値の範囲内にあり、空気側から入射する反射型素子の場合には、実質上３λ1 と３λ2 ／２と２λ3 のうちの最小値と最大値の範囲内にある上記第４３の本発明の光学ヘッドである。
【手続補正４５】
【補正対象書類名】明細書
【補正対象項目名】００８３
【補正方法】変更
【補正の内容】
【００８３】
また、第４５の本発明（請求項４５に記載の発明に対応）は、前記光源から出射される光を情報記録媒体に集光する対物レンズをさらに備え、
前記光源は、第１の波長の光、前記第１の波長の略２倍の波長を有する第２の波長の光、及び前記第１の波長の略１．５倍の波長を有する第３の波長の光を出射する単数又は複数の光源であり、
前記回折光学素子は、前記対物レンズの色収差を補正する階段状もしくは実質上鋸歯形状の段差を有する色収差補正素子であり、第１の波長λ1、第２の波長λ2、第３の波長λ3、前記回折光学素子の材料の屈折率ｎに対して、前記段差が、実質上６λ1 ／（ｎ−１）と３λ2 ／（ｎ−１）と４λ3 ／（ｎ−１）のうちの最小値と最大値の範囲内にある上記第１の本発明の光学ヘッドである。
【手続補正４６】
【補正対象書類名】明細書
【補正対象項目名】００８５
【補正方法】変更
【補正の内容】
【００８５】
また、第４６の本発明（請求項４６に記載の発明に対応）は、前記色収差補正素子が前記対物レンズ上に形成されている上記第４５の本発明の光学ヘッドである。
【手続補正４７】
【補正対象書類名】明細書
【補正対象項目名】００８６
【補正方法】変更
【補正の内容】
【００８６】
また、第４７の本発明（請求項４７に記載の発明に対応）は、前記色収差補正素子と前記対物レンズがアクチュエータによって一体的に駆動される上記第４５の本発明の光学ヘッドである。
【手続補正４８】
【補正対象書類名】明細書
【補正対象項目名】００８７
【補正方法】変更
【補正の内容】
【００８７】
また、第４８の本発明（請求項４８に記載の発明に対応）は、前記色収差補正素子が凸型の回折型レンズであり、前記対物レンズとの両方で収束光を形成する上記第４５の本発明の光学ヘッドである。
【手続補正４９】
【補正対象書類名】明細書
【補正対象項目名】００８８
【補正方法】変更
【補正の内容】
【００８８】
また、第４９の本発明（請求項４９に記載の発明に対応）は、前記光源は、実質上０．３５μｍ≦λ≦０．４４μｍの関係を満たす波長λの光を出射する光源であり、
前記回折光学素子は、情報記録媒体に集光する対物レンズの色収差を補正する色収差補正素子である上記第１の本発明の光学ヘッドである。
【手続補正５０】
【補正対象書類名】明細書
【補正対象項目名】００８９
【補正方法】変更
【補正の内容】
【００８９】
また、第５０の本発明（請求項５０に記載の発明に対応）は、前記色収差補正素子が前記対物レンズ上に形成されている上記第４９の本発明の光学ヘッドである。
【手続補正５１】
【補正対象書類名】明細書
【補正対象項目名】００９０
【補正方法】変更
【補正の内容】
【００９０】
また、第５１の本発明（請求項５１に記載の発明に対応）は、前記色収差補正素子と前記対物レンズがアクチュエータによって一体的に駆動される上記第４９の本発明の光学ヘッドである。
【手続補正５２】
【補正対象書類名】明細書
【補正対象項目名】００９１
【補正方法】変更
【補正の内容】
【００９１】
また、第５２の本発明（請求項５２に記載の発明に対応）は、前記色収差補正素子が凸型の回折型レンズであり、前記対物レンズとの両方で収束光を形成する上記第４９の本発明の光学ヘッドである。